(57)【要約】【課題】配線が集中したり、入り組んでいるような状況でも混乱することなく、正確に配線を特定できしかも各配線毎に情報を集積しておくことができる配線、配管用識別ラベルを提供する。【解決手段】配線、配管用識別ラベル１は、データ入力手段および無線通信回路を有するリーダーライター５と通信でき、少なくとも無線通信回路および書換可能な記憶回路ＰＲＯＭの集積回路化されたデータキャリアが、配線１０に取り付けるためのラベルに組み込まれている。【選択図】          図２
2004165027.tif 000002
【特許請求の範囲】
【請求項１】
データ入力手段および無線通信回路を有するリーダーライターと通信でき、少なくとも無線通信回路および記憶回路の集積回路化されたデータキャリアが、配線または配管に取り付けるためのラベルに組み込まれていることを特徴とする識別ラベル。
【請求項２】
該ラベルに発光ダイオードが取り付けられていることを特徴とする請求項１に記載の配線、配管用識別ラベル。
【請求項３】
該ラベルが色付けされていることを特徴とする請求項１に記載の配線、配管用識別ラベル。
【発明の詳細な説明】
【０００１】
【発明の属する技術分野】
本発明は、電気配線や光ファイバーケーブルなどの配線、ガス管、給水管等に取り付ける識別ラベルに関するものである。
【０００２】
【従来の技術】
分電盤や電話交換器をはじめとする各種の電気機器には多数の配線が繋がっている。比較的配線の数が少ない機器では、色分けの配線を使用して識別をしていた。配線の数が多い機器では、色分けだけで管理しきれないため、番号や文字、記号等を記載したラベルやタグを取り付けたもの、さらにはバーコードを取り付けたものもある。バーコードで管理する場合には、バーコード読取装置が繋がるホストコンピューターに、回路上の配線部位等の配線に関する情報をデータベース化して記憶させている。
【０００３】
【発明が解決しようとする課題】
配線の識別をするために、番号が付されている場合はラベルを目視する必要があり、バーコードが付されている場合はラベルを読取装置の視野に合わせなければならない。配線が集中したり、入り組んでラベルが横を向いていたりすると、この識別作業にはかなりの困難が伴う。さらにバーコード、ホストコンピューターで管理する場合は、配線情報等を統一した形式にデータベース化する作業が煩雑であり、また僅かな情報を確認するだけでもバーコード読取装置からホストコンピューターのメモリへアクセスしなければならない。
【０００４】
本発明は、このような従来の配線識別ラベルを改良するもので、配線が集中したり、入り組んでいるような状況でも混乱することなく、正確に配線を特定できしかも各配線毎に情報を集積しておくことができる配線、配管用識別ラベルを提供するものである。
【０００５】
【課題を解決するための手段】
前記の目的を達成するためになされた本発明は、データ入力手段および無線通信回路を有するリーダーライターと通信でき、少なくとも無線通信回路および記憶回路の集積回路化されたデータキャリアが、配線または配管に取り付けるためのラベルに組み込まれていることを特徴とする識別ラベルである。
【０００６】
この配線、配管用識別ラベルは、発光ダイオードが取り付けられていることが好ましい。
【０００７】
さらに、この配線、配管用識別ラベルは、色付けされていることが好ましい。
【０００８】
【発明の実施の形態】
以下、本発明の好ましい実施形態を図面を参照しながら詳細に説明する。
【０００９】
図１は本発明を適用する配線、配管用識別ラベル１の使用状態を示す一実施例である。配線１０に識別ラベル１が取り付けられる。識別ラベル１は無線通信式のデータキャリアであり、ハンディタイプのリーダーライター５と組み合わせて使用される。
【００１０】
図２には識別ラベル１のデータキャリア、およびリーダーライター５の概略構成を示すブロック回路図を示してある。データキャリアの回路構成は、無線送受信回路、変調器、復調器を有するＲＦ回路、演算制御回路ＭＰＵ、および書換可能な読出専用記憶回路ＰＲＯＭ（Ｐｒｏｇｒａｍｍａｂｌｅ  Ｒｅａｄ  Ｏｎｌｙ  Ｍｅｍｏｒｙ）がＩＣ（Ｉｎｔｅｇｒａｔｅｄ  Ｃｉｒｃｕｉｔ：集積回路）化され、発光ダイオードＬＥＤが付されている。このＩＣと一体的に成形されたフィルム形状のループアンテナ３がプリントされている。
【００１１】
リーダーライター５は、回路本体６、液晶表示部７、操作キー８、ループアンテナ９、電源バッテリＰｏｗｅｒを備えている。回路本体６には、無線送受信回路、変調器、復調器を持つＲＦ回路、演算制御回路ＭＰＵ、およびランダムアクセスメモリＲＡＭを有している。回路本体６の無線送受信回路は識別ラベル１のデータキャリアの無線送受信回路と通信周波数が同調するように合わせてある。操作キー８にはデータキャリアにデータを書込む機能キー、データキャリアにデータを問い合わせて呼び出す質問機能キー等が単独または組み合わせで組み込まれている。さらにリーダーライター５はＬＡＮ（ローカルエリアネットワーク）によってホストコンピューターと接続され、通信できるようになっている。ホストコンピューターには識別すべき配線に関する情報、例えば回路構成、結線先、部品、線の規格等が記憶されている。
【００１２】
この配線、配管用識別ラベル１は、以下のように図３に示すフローチャートの手順で操作して、分電盤の配線１０に取り付けられる。尚、一連の回路動作はリーダーライター５内の演算制御回路ＭＰＵ、並びに識別ラベル１のデータキャリア内の演算制御回路ＭＰＵによって制御される。
【００１３】
配線作業者は、リーダーライター５のキー８を操作してホストコンピューターにアクセスして回路構成を液晶表示部７に表示し（ステップ１０１）、配線１０の結線先、例えばターミナルを決め結線してから、識別ラベル１を取り付ける。この結線状態をホストコンピューターに送って保存する（ステップ１０２）とともに、キー８によって要点事項、例えばターミナル番号を抽出し（ステップ１０３）、ランダムアクセスメモリＲＡＭに取り込む。次いでリーダーライター５を識別ラベル１に近づけてから、要点事項のデータを識別ラベル１の読出専用記憶回路ＰＲＯＭに書込むべく書込機能キーを操作する（ステップ１０４）。すなわちランダムアクセスメモリＲＡＭから呼び出されたデータはリーダーライター５のＲＦ回路の変調器で変調され、その電磁波が無線送受信回路を経てアンテナ９から発振する。識別ラベル１のアンテナ３を経てＲＦ回路の無線送受信回路で同調受信され、復調器で復調され、要点事項のデータが読出専用記憶回路ＰＲＯＭに書込まれる。同時に、アンテナ３で受信した微弱電流により発光ダイオードＬＥＤが点灯する。
【００１４】
配線作業者はステップ１０１からステップ１０４の作業を各配線毎に繰り返し、分電盤の全配線について行い、各々の要点事項のデータが書込まれた全識別ラベルの取り付けが完了する。尚、配線１０の結線、識別ラベル１の取り付けは、ステップ１０１からステップ１０４の途中のいずれでも、またステップ１０１の前、ステップ１０４の後でも任意である。
【００１５】
後日、配線作業者が配線の取替えや、分電盤の移動のため配線状態を知るためには、識別ラベルが各々取り付けられている多数の配線の方向にリーダーライター５を向け、質問機能キーを操作すると、質問のためのデータが変調されてリーダーライター５のＲＦ回路からアンテナ９を経て発振する。この電磁波が識別ラベル１のアンテナ３を経て無線送受信回路で同調受信され、復調器で質問のためのデータ、すなわち読出専用記憶回路ＰＲＯＭに対する読出し信号が復調される。その読出し信号によって読出専用記憶回路ＰＲＯＭの記憶内容、すなわち質問に対する要点事項のデータが読出されて識別ラベル１のＲＦ回路に流れアンテナ３から発振する。この電磁波がリーダーライター５のアンテナ９を経て無線送受信回路で同調受信され、復調器で復調されて液晶表示部７に送られる。すると液晶表示部７に配線の要点事項が表示されると同時に、発光ダイオードＬＥＤが点灯する。したがって液晶表示部７に表示された要点事項がどの配線のものか明確に判断できる。
【００１６】
配線の要点事項が表示されたら、それをもとに修理や配線の取替えなど必要な作業を行う。必要に応じて作業記録や変更点などを、機能キー８を操作してリーダーライター５から識別ラベル１の読出専用記憶回路ＰＲＯＭに書き込む。
【００１７】
尚、識別ラベル１は、予め色付けをしたもの、あるいは簡単な記号を印刷したもの数種類を用意しておき、配線の系統別に色分け、あるいは記号の種類を分けることも便利である。発光ダイオードＬＥＤの点灯色により配線の系統を分けることもできる。
【００１８】
またブザーをリーダーライタ側に取り付けておき、アラーム音で配線を特定することも可能にできる。
【００１９】
さらに、この識別ラベルは、電気配線だけではなく、光ファイバーケーブルやガス管、給水管等の輸送管に取り付けて有効に使用することができる。
【００２０】
この識別ラベルは、配線等の製造段階でその配線に取り付けておけば、製造管理や、入出荷履歴、在庫管理など物流管理にも使用できる。また、出荷検査成績などを記憶させることによって、その後のトラブル発生時の対応にも役に立つ。
【００２１】
図４には、配線、配管用識別ラベル１１、２１、３１、４１、５１、６１のいろいろな形の例が示してある。各識別ラベル１１、２１、３１、４１、５１、６１に取り付けられるデータキャリアの回路は同一であっても、異なっていてもよい。識別ラベル１（図１参照）、識別ラベル１１、識別ラベル２１、識別ラベル３１は、一部が切開かれたプラスチックパイプにプラスチック板が一体成型され、その板部分にデータキャリアの回路は貼り付けられており、切開かれたプラスチックパイプで配線１０を抱かせて取り付けを行う。識別ラベル４１は、開閉筒の側面にデータキャリアの回路は貼り付けられている例である。識別ラベル５１は、バネ式のクリップのつまみ板部分にデータキャリアの回路が貼り付けられている例である。識別ラベル６１は、タグ式のもので、データキャリアの回路が貼り付けられた板の孔に通した結束バンドで配線１０に取り付けている。
【００２２】
【発明の効果】
以上詳細に説明したように、本発明を適用する識別ラベルは、配線等に取り付けておき、配線の情報を記録しておくことができるから、リーダーライターとの無線通信機能により配線を探し当て、配線の情報を識別できる。ラベルを目視したり、ラベルに読取装置の視野を合わせたりする必要がなく、ラベル近辺方向にリーダーライターを向ければ識別できるので、作業が非常に容易になり効率があがる。この識別ラベルには、そのものに配線の情報等のデータを記憶できるから、情報等を統一した形式にデータベース化しなくても管理体制を確立できるし、日常の運用程度であればホストコンピューターとの情報の交換は必要なくなる。
【図面の簡単な説明】
【図１】本発明を適用する配線、配管用識別ラベルの使用状態を示す図である。
【図２】本発明を適用する識別ラベルのデータキャリア、およびリーダーライターのブロック回路図である。
【図３】本発明を適用する識別ラベルの使用手順を示すフローチャート図である。
【図４】本発明を適用する識別ラベルの実施例を示す外観図である。
【符号の説明】
１、１１、２１、３１、４１、５１、６１は識別ラベル、３はループアンテナ、５はリーダーライター、６は回路本体、７は液晶表示部、８は操作キー、９はループアンテナ、１０は配線である。
【図１】
2004165027.tif 000003
【図２】
2004165027.tif 000004
【図３】
2004165027.tif 000005
【図４】
2004165027.tif 000006